(57)【要約】      （修正有）【課題】個人差やゆがみがなく、短時間で作業ができるテープ貼付工具を提供する。【解決手段】テープを貼り付ける対象物の少なくとも２箇所に接して該対象物の縁に沿って移動される移動案内部２と、移動案内部２と一体化され上記対象物に上記テープを供給するテープ供給部３とを備えた。また、移動案内部は、上記対象物の縁に接する縁案内部４と、該縁案内部に対して直角をなし、上記対象物のテープ貼付面に接する貼付面案内部５とを有する。【選択図】図１
2010070273.tif 000002
【特許請求の範囲】
【請求項１】
テープを貼り付ける対象物の少なくとも２箇所に接して該対象物の縁に沿って移動される移動案内部と、該移動案内部と一体化され上記対象物に上記テープを供給するテープ供給部とを備えたことを特徴とするテープ貼付工具。
【請求項２】
上記移動案内部は、上記対象物の縁に接する縁案内部と、該縁案内部に対して直角をなし上記対象物のテープ貼付面に接する貼付面案内部とを有することを特徴とする請求項１記載のテープ貼付工具。
【請求項３】
上記対象物がテープ貼付面と反対面とを有する所定の厚さの部材であり、上記移動案内部は、上記対象物のテープ貼付面に接して対向する１つの板材に、上記対象物の縁を越えて上記対象物の反対面に対向するまで折り込まれた折込部が少なくとも２つ形成されていることを特徴とする請求項１又は２記載のテープ貼付工具。
【請求項４】
上記対象物がテープ貼付面と反対面とを有する所定の厚さの部材であり、上記移動案内部は、上記対象物の縁に接する基台に、該基台から上記対象物のテープ貼付面に沿って伸びる少なくとも２つの柱体と、上記基台から上記対象物の反対面に沿って伸びる少なくとも１つの柱体とが設けられていることを特徴とする請求項１又は２記載のテープ貼付工具。
【発明の詳細な説明】
【技術分野】
【０００１】
本発明は、個人差やゆがみがなく、短時間で作業ができるテープ貼付工具に関する。
【背景技術】
【０００２】
携帯電話の基地局用アンテナでは、アンテナ本体を風雨から保護するために、アンテナ本体をＦＲＰなどの樹脂製の円筒ケース内に収納するものがある。アンテナ本体は例えば細長い基板で構成され、縦長に立てて使用される。円筒ケースは、アンテナ本体を長手方向に収容するように、１．５ｍ〜２ｍの長さがある。
【０００３】
円筒ケースの上下端はカバーと呼ばれる蓋で閉じる。このとき、円筒ケースの内部が防水空間となるよう、円筒ケースの閉じ合わせ部分をコーキングなどにより防水加工する。防水加工に際しては、防水材料が目的部分の他の部分に付かないようマスキングをする必要がある。
【０００４】
マスキングは、円筒ケースの最端部（縁）から所定距離の位置に紙テープを巻き付けて施される。マスキングは、テープが円筒ケースの縁から２ｍｍ〜１０ｍｍ、例えば３ｍｍの位置において、斜めになったり凹凸になったりしないように、真っ直ぐ貼り付ける必要がある。
【０００５】
従来は、このマスキングの作業を手作業で行っている。すなわち、図７に示されるように、テープ３２が巻き取られた状態のテープ材３１を一方の手で持ち、他方の手でテープ３２を円筒ケース２１に押し付ける。この状態で、両手を円筒ケース２１の周方向に移動させていき、一周させる。
【０００６】
なお、図７では円筒ケース２１を切って端部のみ示しているが、実際には、円筒ケース２１は長手方向に１．５ｍ〜２ｍもある大きな部材である。
【０００７】
【特許文献１】特開平１１−２９２３８４号公報
【発明の開示】
【発明が解決しようとする課題】
【０００８】
マスキングの作業を手作業で行うため、テープ３２に斜めや凹凸のゆがみが生じることがある。テープ３２が皺になったり、テープ３２同士が接着してしまい、貼り付けを続けることが困難になることもある。また、作業者によって、テープ位置（縁２２からの距離）が違うことがある。作業者によっては、１０ｍｍ以上のずれが生じることもある。テープ位置が望ましい位置から外れたりゆがんだ場合、作業のやり直しが必要になる。このような作業の困難さややり直しのため、マスキングの作業は長い時間を要する。
【０００９】
特許文献１には、粘着テープ貼り付け用の工具が示されている。しかし、この工具では、ガイド用の係合部が１つしかないため、対象物に対する工具の角度を一定に保ちにくい。工具の角度を一定にするには工具を手で強固に保持する必要があり、作業が容易でない。特に、対象物が直線的でない場合、対象物に対する工具の角度を一定にするのは不可能に近い。
【００１０】
また、ガイド用の係合部は、対象物の縁に当たっているだけである。ガイド用の係合部が対象物の縁から離れる方向に力を入れないよう、かつ、反対にグリップが対象物の縁の外側に傾かないよう、作業者は注意深く作業をする必要があり、作業が容易でない。
【００１１】
そこで、本発明の目的は、上記課題を解決し、個人差やゆがみがなく、短時間で作業ができるテープ貼付工具を提供することにある。
【課題を解決するための手段】
【００１２】
上記目的を達成するために本発明は、テープを貼り付ける対象物の少なくとも２箇所に接して該対象物の縁に沿って移動される移動案内部と、該移動案内部と一体化され上記対象物に上記テープを供給するテープ供給部とを備えたものである。
【００１３】
上記移動案内部は、上記対象物の縁に接する縁案内部と、該縁案内部に対して直角をなし上記対象物のテープ貼付面に接する貼付面案内部とを有してもよい。
【００１４】
上記対象物がテープ貼付面と反対面とを有する所定の厚さの部材であり、上記移動案内部は、上記対象物のテープ貼付面に接して対向する１つの板材に、上記対象物の縁を越えて上記対象物の反対面に対向するまで折り込まれた折込部が少なくとも２つ形成されていてもよい。
【００１５】
上記対象物がテープ貼付面と反対面とを有する所定の厚さの部材であり、上記移動案内部は、上記対象物の縁に接する基台に、該基台から上記対象物のテープ貼付面に沿って伸びる少なくとも２つの柱体と、上記基台から上記対象物の反対面に沿って伸びる少なくとも１つの柱体とが設けられていてもよい。
【発明の効果】
【００１６】
本発明は次の如き優れた効果を発揮する。
【００１７】
（１）個人差がなくなる。
【００１８】
（２）ゆがみがなくなる。
【００１９】
（３）短時間で作業ができる。
【発明を実施するための最良の形態】
【００２０】
以下、本発明の一実施形態を添付図面に基づいて詳述する。
【００２１】
図１（ａ）〜図１（ｅ）に示されるように、本発明に係るテープ貼付工具１は、テープを貼り付ける対象物の少なくとも２箇所に接して該対象物の縁に沿って移動される移動案内部２と、移動案内部２と一体化され上記対象物に上記テープを供給するテープ供給部３とを備えたものである。
【００２２】
移動案内部２は、上記対象物の縁に接する縁案内部４と、縁案内部４に対して直角をなし上記対象物のテープ貼付面に接する貼付面案内部５とを有する。
【００２３】
図１の実施形態では、対象物がテープ貼付面と反対面とを有する所定の厚さの部材であり、具体的には、携帯電話の基地局用アンテナに用いられる樹脂製の円筒ケース（図２参照）が対象物となっている。ここでは、テープ貼付面は円筒ケースの外周面とする。
【００２４】
図１の実施形態では、移動案内部２は、対象物のテープ貼付面に接して対向する１つの板材６に、対象物の縁を越えて対象物の反対面に対向するまで折り込まれた折込部７が２つ形成されたものである。板材６は、円筒ケースの軸に沿う方向（ｚ方向とする）に伸びた縦辺６ａと円筒ケースの軸に直交する方向に伸びた横辺６ｂとを有する。横辺６ｂは、この板材６の一部である貼付面案内部５が円筒ケースの外周面に接した状態で移動案内部２が移動できるように、円筒ケースよりもやや半径が大きく円弧状に湾曲させて形成されている。
【００２５】
板材６の横辺６ｂの周方向両端付近にそれぞれ折込部７が形成されている。折込部７は、板材６の一部が横辺６ｂの円弧の内側方向に向けて直角に折り曲げられ、対象物である円筒ケースの厚さよりやや大きい隙間ができる程度に伸ばされて、さらに円筒ケースの軸方向逆向きに向けて直角に折り返されている。このように、折込部７は、円筒ケースの縁を越えて円筒ケースの内周面に対向するまで折り込まれる。折込部７の内側に、対象物の縁に接する縁案内部４が形成される。折込部７は、円筒ケースの縁に爪のように係合させることができる。板材６は、金属板をプレス加工等により形成、あるいは軽量化のためプラスチックで形成される。
【００２６】
テープ供給部３は、板材６の外面（横辺６ｂの円弧の外側）に起立させて設けられ、横辺６ｂに接する架空の面と平行な面を有する固定板８と、固定板８の面から縦辺６ａと平行な方向に伸ばされ、貼り付けようとするテープが巻き取られたテープ材（図３参照）が回転自在に装着されるテープ材保持軸９とを有する。固定板８は、例えば、金属板であり、板材６に溶接固定される。テープ材保持軸９は、例えば、金属円筒、金属円柱であり、固定板８に溶接固定される。固定板８及びテープ材保持軸９を軽量化のためプラスチックで形成しても良い。
【００２７】
テープ供給部３は、テープ材保持軸９に装着されたテープ材を板材６の内面と上記対象物のテープ貼付面との間に送り込むための通過窓１０と、該通過窓１０の一辺となるよう板材６の一方の縦辺６ａに対して平行に距離を隔てて設けられ上記テープを上記対象物に押し付ける押付部材１１とを備える。押付部材１１は、例えば、金属円筒、金属円柱であり、板材６に溶接固定される。押付部材１１の表面は、板材６の内面より外（板材６の径方向内側）に突き出ている。通過窓１０は、押付部材１１が縦辺６ａから距離を隔てて設けられたことにより、その押付部材１１と縦辺６ａとの隙間として形成される。
【００２８】
次に、本発明のテープ貼付工具１の使用方法を説明する。
【００２９】
携帯電話の基地局用アンテナを製造する工場において、アンテナ本体をＦＲＰなどの樹脂製の円筒ケース内に収納した後、円筒ケースの上下端を蓋で閉じる際に、防水加工をする。防水加工に際して、防水材料が目的部分の他の部分に付かないようマスキングテープを円筒ケースの縁から例えば３ｍｍの位置に巻き付けて貼り付ける。
【００３０】
この貼付作業において、図２に示されるように、テープ貼付工具１を円筒ケース２１に取り付けると共に、テープ貼付工具１のテープ材保持軸９にテープ材３１を装着する。
【００３１】
図３（ａ）〜図３（ｅ）に示されるように、移動案内部２は、折込部７の内側に形成された縁案内部４が対象物である円筒ケース２１の縁２２に接する。板材６の湾曲の内面に形成された貼付面案内部５が対象物のテープ貼付面である円筒ケース２１の外周面２３に接する。折込部７の一部は、円筒ケース２１の内周面２４に接する。
【００３２】
移動案内部２は、円筒ケース２１に接した状態で縁２２に沿って移動させることが可能となる。すなわち、縁案内部４は縁２２上を滑らせて移動させることができる。また、円弧状に湾曲している貼付面案内部５が円筒ケース２１の外周面２３に接してるので、貼付面案内部５は外周面２３上を滑らせて移動させることができる。
【００３３】
折込部７の縁案内部４が円筒ケース２１の縁２２に接しているため、移動案内部２は円筒ケース２１の軸に沿う方向（ｚ方向）への移動が規制される。そして、折込部７が移動案内部２の２箇所に、具体的には板材６の横辺６ｂの周方向両端付近にそれぞれ形成されているため、移動案内部２が円筒ケース２１に対して傾斜することが防止される。従って、テープ貼付工具１は、移動案内部２の縁２２に対する相対位置（ｚ軸方向の距離）を一定に維持したまま、円筒ケース２１の周方向に移動させることができる。
【００３４】
テープ材３１は、貼り付けようとするテープ（ここではマスキングテープ）３２が中空芯３３に巻き取られたものである。テープ３２は、片面に粘着材が設けられた粘着テープである。中空芯３３をテープ供給部３のテープ材保持軸９に嵌め込むことにより、テープ材３１がテープ材保持軸９に回転自在に装着される。
【００３５】
テープ材３１から巻き出されたテープ３２の先端は、通過窓１０を通して板材６の内面と円筒ケース２１のテープ貼付面（外周面２３）との間に送り込まれる。
【００３６】
通過窓１０の一辺は押付部材１１からなるので、テープ３２は押付部材１１の下に入る。押付部材１１が板材６の内面より突き出ているため、テープ３２は押付部材１１によって円筒ケース２１の外周面２３に押し付けられる。テープ３２は粘着材の面が外周面２３に押し付けられるため、円筒ケース２１にしっかりと貼り付けられる。
【００３７】
この状態で、テープ貼付工具１を円筒ケース２１に沿って移動させると、既に円筒ケース２１に貼り付けられているテープ３２に引き続いてテープ３２が通過窓１０に引き込まれ、その力によって、テープ材３１が回転され、テープ材３１からテープ３２が巻き出される。すなわち、連続してテープ３２を巻き出しながら、テープ３２を円筒ケース２１に貼り付けていくことができる。
【００３８】
前述のように、テープ貼付工具１は、移動案内部２の縁２２に対する相対位置（ｚ軸方向の距離）を一定に維持したまま、円筒ケース２１の周方向に移動されるので、テープ３２は縁２２からの距離を一定に維持して貼り付けられることになる。
【００３９】
以上説明したように、本発明によれば、縁２２に対するテープ３２の貼付位置がテープ貼付工具１の寸法で一意的に決まるので、作業者による個人差や人為的なゆがみがなく、整然とテープ３２を貼り付けることができる。
【００４０】
また、本発明によれば、失敗による作業のやり直しがなくなると共に、作業が容易になるので、短時間で作業ができる。
【００４１】
上記実施形態では、マスキングテープを貼り付ける対象物を樹脂製の円筒ケース２１とした。このような対象物は、テープ貼付面となる外周面とその反対面となる内周面とを有する所定の厚さの部材である。円筒ケース２１の縁を越えて円筒ケースの内周面に対向するまで折り込まれた折込部７は、円筒ケースの縁に爪のように係合させることができる。従って、円筒ケース２１の縁２２に接する縁案内部４は、折込部７の内側に形成された。対象物が円柱のように充実な部材であるときは、折込部７を内周面まで折り込むことはできないが、対象物の端面に当たるように折込部７を折り曲げることにより、対象物の縁に接する縁案内部４が形成される。この場合でも、縁案内部４が移動案内部２の２箇所に形成されることにより、対象物に対する傾きやがたつきを生じることなく移動案内部２を対象物の縁に沿って移動されせることができる。
【００４２】
対象物は、円筒、円柱に限らず、角筒、角柱、不規則形状の縁を有する部材などであっても、本発明のテープ貼付工具１を用いることで、対象物の縁から所定の距離の位置に個人差やゆがみがなく、短時間でテープを貼り付けることができる。
【００４３】
次に、本発明の他の実施形態を説明する。
【００４４】
図４に示したテープ貼付工具４１は、これまで説明したテープ貼付工具１にテープ材ストッパ４２を付加したものである。テープ材ストッパ４２は、テープ保持軸９に対して着脱自在に取り付けられる。テープ材ストッパ４２は、テープ材３１の径方向に伸びてテープ材３１がテープ保持軸９の軸方向に移動するのを規制する。これにより、テープ材３１の中空芯３３の内径がテープ材保持軸９の外径に対して余裕が大きい場合などでも、テープ材３１が移動することがない。
【００４５】
図５に示したテープ貼付工具５１は、これまで説明したテープ貼付工具１にテープ３２を切断する切り刃５２を付加したものである。切り刃５２は、鋸歯状の薄板を押付部材１１の外側に取り付けて構成される。
【００４６】
図６（ａ）〜図６（ｃ）に示したテープ貼付工具６１は、前述の円筒ケース２１のようにテープ貼付面と反対面とを有する所定の厚さの対象物に好適なものである。テープ貼付工具６１は、テープを貼り付ける対象物の少なくとも２箇所に接して該対象物の縁に沿って移動される移動案内部２と、移動案内部２と一体化され上記対象物に上記テープを供給するテープ供給部３とを備える。移動案内部２は、上記対象物の縁に接する縁案内部４と、その縁案内部４に対して直角をなし上記対象物のテープ貼付面に接する貼付面案内部５とを有する。
【００４７】
図６の実施形態では、移動案内部２は、上記対象物の縁に接する基台６２に、基台６２から上記対象物のテープ貼付面に沿って伸びる少なくとも２つの柱体６３と、基台６２から上記対象物の反対面に沿って伸びる少なくとも１つの柱体６４とが設けられている。基台６２の一部は縁案内部４となる。２つの柱体６３の一部は貼付面案内部５となる。テープ供給部３は、基台６２に直角に起立しているテープ材保持軸９からなる。
【００４８】
２つの柱体６３は、その基端部が基台６２に固定されている。柱体６３はテープ材保持軸９を挟んで基台６２の両側に設けられている。柱体６４は２つの柱体６３の中間に配置されている。
【００４９】
柱体６４は基台６２に対してテープ材保持軸９から遠ざかる方向及び近付く方向に移動自在かつ付勢可能に構成されている。すなわち、基台６２には所定の長さの柱体案内溝６５が設けられ、柱体６４の基端部が柱体案内溝６５に嵌め込まれることにより、柱体６４が柱体案内溝６５の長手方向に移動自在となっている。基台６２と一体であるバネ押さえ６６と柱体６４の基端部との間に、バネ６７が張られている。図６（ｂ）の状態でバネ６７は自然長であり、柱体６４をテープ材保持軸９から遠ざかる方向に移動させると、バネ６７の働きにより、柱体６４はテープ材保持軸９に近付く方向へ付勢されるようになっている。
【００５０】
２つの柱体６３と柱体６４は、軸回転自在に構成されている。すなわち、各柱体６３，６４は、基端部に位置するローラ軸に対してローラが回転自在に取り付けられたものである。
【００５１】
次に、本発明のテープ貼付工具６１の使用方法を説明する。
【００５２】
前述の実施形態と同様に円筒ケース２１に対して、円筒ケース２１の縁から所定距離の位置にマスキングテープを巻き付けて貼り付ける貼付作業を行うものとする。
【００５３】
この貼付作業において、テープ貼付工具６１の柱体６４をテープ材保持軸９から十分に遠ざかる方向に移動させ、付勢された状態に保持する。基台６２を円筒ケース２１の縁２２に当てるようにしてテープ貼付工具６１を円筒ケース２１に近付ける。このとき、２つの柱体６３が円筒ケース２１の外周面２３に接するようにすると、柱体６４は円筒ケース２１の中空部に入る。
【００５４】
図６（ｃ）に示されるように、基台６２が円筒ケース２１の縁２２に接した状態で、柱体６４を解放すると、柱体６４はテープ材保持軸９に近付く方向に移動し、円筒ケース２１の内周面に当たる。これにより、２つの柱体６３が円筒ケース２１を外周面２３から押さえ、２つの柱体６３の中間にある柱体６４が円筒ケース２１を内周面から押さえることになる。このようにして、テープ貼付工具６１が円筒ケース２１に取り付けられる。
【００５５】
基台６２の一部が縁案内部４として円筒ケース２１の縁２２に接し、２つの柱体６３の一部が貼付面案内部５としてテープ貼付面である外周面２３に接し、さらに柱体６４が円筒ケース２１の内周面に接することになる。よって、テープ貼付工具６１を円筒ケース２１の縁２２からの距離を一定に保ちつつ移動させることができる。
【００５６】
テープ材３１をテープ材保持軸９に装着し、テープ材３１から巻き出されたテープ３２の先端を柱体６３と円筒ケース２１のテープ貼付面（外周面２３）との間に送り込む。テープ３２は柱体６３によって円筒ケース２１の外周面２３に押し付けられる。テープ３２は粘着材の面が外周面２３に押し付けられるため、円筒ケース２１にしっかりと貼り付けられる。
【００５７】
この状態で、テープ貼付工具６１を円筒ケース２１に沿って移動させると、既に円筒ケース２１に貼り付けられているテープ３２に引き続いてテープ３２が柱体６３と外周面２３との間に引き込まれ、その力によって、テープ材３１が回転され、テープ材３１からテープ３２が巻き出される。すなわち、連続してテープ３２を巻き出しながら、テープ３２を円筒ケース２１に貼り付けていくことができる。
【００５８】
テープ貼付工具６１は、移動案内部２の縁２２に対する相対位置（ｚ軸方向の距離）を一定に維持したまま、円筒ケース２１の周方向に移動されるので、テープ３２は縁２２からの距離を一定に維持して貼り付けられることになる。
【００５９】
本実施形態においても、前述の実施形態と同様、縁２２に対するテープ３２の貼付位置がテープ貼付工具６１の寸法で一意的に決まるので、作業者による個人差や人為的なゆがみがなく、整然とテープ３２を貼り付けることができる。また、失敗による作業のやり直しがなくなると共に、作業が容易になるので、短時間で作業ができる。
【００６０】
さらに、本実施形態では、円筒ケース２１の外周面２３に接する貼付面案内部５と内周面に接する部分を２つの柱体６３と柱体６４で構成すると共に、柱体６４を移動自在にしたので、直径が異なる円筒ケースに対しても同じテープ貼付工具６１を適用することができる。
【００６１】
本実施形態では、各柱体６３，６４が回転自在なローラを有する。円筒ケース２１に接するのはローラであるから、円筒ケース２１を傷付けることがない。
【００６２】
この実施形態では、柱体６３を押付部材１１に利用したが、押付部材１１は柱体６３とは別途に設けても良い。
【００６３】
これまでの実施形態では、テープ材保持軸９の位置を固定としたが、テープ材保持軸９が固定板８あるいは基台６２に対して移動自在としても良い。これにより、テープ材３１の径が大きいときは、テープ材３１が円筒ケース２１に接触しないよう、テープ材保持軸９を円筒ケース２１から遠い位置に移動させることができる。
【００６４】
テープ材保持軸９は一体の円筒又は円柱としたが、複数本の棒状部材で構成しても良く、テープ材３１の中空芯３３が装着できればよい。
【００６５】
テープ３２は、マスキング用の紙テープに限らず、セロハンテープ、ビニールテープなど、どのようなテープでも本発明は適用できる。
【図面の簡単な説明】
【００６６】
【図１】本発明の一実施形態を示すテープ貼付工具の図であり、（ａ）は正面図、（ｂ）は側面図、（ｃ）は上面図、（ｄ）は立体図、（ｅ）は側断面部分拡大図である。
【図２】本発明のテープ貼付工具を円筒ケースに取り付けた側面（一部断面）図である。
【図３】本発明のテープ貼付工具の使用時の図であり、（ａ）は正面図、（ｂ）は側面図、（ｃ）は上面図、（ｄ）は立体図、（ｅ）は側断面部分拡大図である。
【図４】本発明の他の実施形態を示すテープ貼付工具の立体図である。
【図５】本発明の他の実施形態を示すテープ貼付工具の側面図である。
【図６】本発明の他の実施形態を示すテープ貼付工具の図であり、（ａ）は正面図、（ｂ）は側面図、（ｃ）は円筒ケースに取り付けた側面図である。
【図７】従来のテープ貼り付け作業を示す立体図である。
【符号の説明】
【００６７】
１、４１、５１、６１  テープ貼付工具
２  移動案内部
３  テープ供給部
４  縁案内部
５  貼付面案内部
６  板材
７  折込部
８  固定板
９  テープ材保持軸
１０  通過窓
１１  押付部材
６２  基台
６３  柱体
６４  柱体
６５  柱体案内溝
６７  バネ
【図１】
2010070273.tif 000003
【図２】
2010070273.tif 000004
【図３】
2010070273.tif 000005
【図４】
2010070273.tif 000006
【図５】
2010070273.tif 000007
【図６】
2010070273.tif 000008
【図７】
2010070273.tif 000009